(57)【要約】【課題】サーバからダウンロードした画像をプリントする際に所望のプリント物を得ることができる写真撮影装置等を提供する。【解決手段】写真撮影装置２は、ユーザを撮影する撮影部１０１と、サーバ３から画像をダウンロードするダウンロード部１０２と、撮影部１０１により撮影を行って得られた撮影画像とサーバ３からダウンロードして得られたダウンロード画像に画像補正を行って色変換し、プリント用画像を作成する画像補正部１０３と、プリント用画像をプリントするプリント部１０４と、を有し、画像補正部１０３は、撮影画像とダウンロード画像とで、異なる画像補正を行う。【選択図】図７
2019144500.tif 000002
【特許請求の範囲】
【請求項１】
ユーザをカメラにより撮影する撮影部と、
画像をサーバからダウンロードするダウンロード部と、
前記撮影部により撮影を行って得られた撮影画像と前記サーバからダウンロードして得られたダウンロード画像に画像補正を行って色変換し、プリント用画像を作成する画像補正部と、
前記プリント用画像をプリンタによってプリントするプリント部と、
を有し、
前記画像補正部は、前記撮影画像と前記ダウンロード画像とで、異なる画像補正を行うことを特徴とする写真撮影装置。
【請求項２】
前記画像補正部は、前記画像補正として、
前記撮影画像に対しては、前記カメラの個体差を解消するための補正、前記プリンタの個体差を解消するための補正、およびプリント用メディアのバラツキを解消するための補正を実行し、
前記ダウンロード画像に対しては、前記カメラの個体差を解消するための補正をせず、前記プリンタの個体差を解消するための補正、および前記プリント用メディアのバラツキを解消するための補正を実行することを特徴とする請求項１記載の写真撮影装置。
【請求項３】
前記プリント用メディアのバラツキを解消するための補正を、前記撮影画像と前記ダウンロード画像とで切り替えることを特徴とする請求項２記載の写真撮影装置。
【請求項４】
前記画像補正部は、前記画像補正として画像の取得方法に応じた補正を行い、
前記画像の取得方法に応じた補正を、前記撮影画像と前記ダウンロード画像とで切り替えることを特徴とする請求項１から請求項３のいずれかに記載の写真撮影装置。
【請求項５】
前記ダウンロード部は、前記画像の取得方法に応じた補正についてのデータであって前記ダウンロード画像に対するものを、前記サーバからダウンロードすることを特徴とする請求項４記載の写真撮影装置。
【請求項６】
前記画像補正部は、ユーザによるフィルタ処理の設定に応じた補正による色変換をさらに行い、
前記フィルタ処理の設定に応じた補正を、前記撮影画像と前記ダウンロード画像とで切り替えることを特徴とする請求項１から請求項５のいずれかに記載の写真撮影装置。
【請求項７】
前記ダウンロード部は、前記フィルタ処理の設定に応じた補正についてのデータであって前記ダウンロード画像に対するものを、前記サーバからダウンロードすることを特徴とする請求項６記載の写真撮影装置。
【請求項８】
請求項１から請求項７のいずれかに記載の写真撮影装置と、
ユーザ端末と、
前記サーバと、
を有し、
前記ユーザ端末は、画像を前記サーバに送信することを特徴とする画像プリントシステム。
【発明の詳細な説明】
【技術分野】
【０００１】
本発明は、写真撮影装置、および画像プリントシステムに関する。
【背景技術】
【０００２】
スマートフォン等の記憶部に格納されたユーザの画像を街頭のプリント装置でプリントする画像プリントサービスは種々存在し、コンビニエンスストアや家電量販店等に設置されているプリント装置でプリントを行うことが可能である。
【０００３】
特許文献１には、証明写真の撮影ボックスにおいて、カメラ付き通信装置（携帯電話）に保存された一般的な画像をプリントできるサービスが記載されている。特許文献１のサービスでは、カメラ付き通信装置からサーバに送信された画像を撮影ボックスでダウンロードしてプリントする。
【０００４】
ところで、証明写真の撮影ボックスでは、所望のプリント物を得るために、ユーザの撮影画像に対して各種の画像補正による色変換が実行される。
【０００５】
例えば、カメラやプリンタの個体差を解消するための補正（カメラ用補正、プリンタ用補正）が撮影ボックスの製造時に設定され、当該補正によりカメラやプリンタの個体差による画質への影響を排除することができる。また撮影ボックスでは、ユーザの撮影画像を証明写真などとして相応しい画質・色に仕上げるための補正（画作り補正）も予め設定されている。
【０００６】
さらに、街頭に設置した撮影ボックスのプリント用メディア（インクリボンや用紙など）の交換時には、メディアのロット間のバラツキを解消するための補正（メディア用補正）も行われる。このメディア用補正は、ある色を撮影した時にプリント物上でそれが所定の色で現れるように設定される。
【０００７】
撮影ボックスが街頭で設置されると、ストロボやレンズ、ボックス内等の汚れ等の影響で、写真の画質や色が出荷時と比べて変化する。メディア用補正は上記の通りメディアのバラツキを解消するためのものであるが、実際には上記のような撮影ボックスの撮影系の変化も補償するものとなっている。
【先行技術文献】
【特許文献】
【０００８】
【特許文献１】特開2004−240737号公報
【発明の概要】
【発明が解決しようとする課題】
【０００９】
撮影ボックスでは、撮影画像に対して上述した各種の補正処理を行ってプリント用画像を作成し、これをプリントしているが、これらの補正処理は前記のようにサーバからダウンロードした画像に対してそのまま適用することはできない。例えば前記したカメラ用補正は撮影画像に対しては必要であるが、サーバからダウンロードした画像に対しては不要である。
【００１０】
さらに、前記の画作り補正もカメラ用補正を行っていることを前提として設定されており、またメディア用補正も、前記した通り撮影系の変化を補償するものとなっている。
【００１１】
本発明は上記の問題に鑑みてなされたものであり、サーバからダウンロードした画像をプリントする際に所望のプリント物を得ることができる写真撮影装置等を提供することを目的とする。
【課題を解決するための手段】
【００１２】
前述した課題を解決するための第１の発明は、ユーザをカメラにより撮影する撮影部と、サーバから画像をダウンロードするダウンロード部と、前記撮影部により撮影を行って得られた撮影画像と前記サーバからダウンロードして得られたダウンロード画像に画像補正を行って色変換し、プリント用画像を作成する画像補正部と、前記プリント用画像をプリンタによってプリントするプリント部と、を有し、前記画像補正部は、前記撮影画像と前記ダウンロード画像とで、異なる画像補正を行うことを特徴とする写真撮影装置である。
【００１３】
本発明の写真撮影装置は、撮影からプリントまでの全ての処理を写真撮影装置で行う場合と、ダウンロードした画像を写真撮影装置でプリントするだけの場合とで、画像に対して実施する画像補正処理を切り替える。これにより、撮影画像とダウンロード画像のそれぞれに適切な画像補正を行うことが可能となり、撮影画像のみならずダウンロード画像をプリントする際にも所望のプリント物を得ることが可能となる。
【００１４】
前記画像補正部は、前記画像補正として、前記撮影画像に対しては、前記カメラの個体差を解消するための補正、前記プリンタの個体差を解消するための補正、およびプリント用メディアのバラツキを解消するための補正を実行し、前記ダウンロード画像に対しては、前記カメラの個体差を解消するための補正をせず、前記プリンタの個体差を解消するための補正、および前記プリント用メディアのバラツキを解消するための補正を実行することが望ましい。
これにより、ダウンロード画像に必要な画像補正処理だけを実施し、ダウンロード画像をプリントする際に所望のプリント物を得ることが可能となる。
【００１５】
前記プリント用メディアのバラツキを解消するための補正を、前記撮影画像と前記ダウンロード画像とで切り替えることが望ましい。
前記したように、撮影画像に対しては、メディアのバラツキを解消するための補正が、ストロボやレンズ、ボックス内の汚れといった撮影系の変化を補償するものとなっている。一方、ダウンロード画像に対しては、そのような撮影系の変化の影響の無い、メディアのバラツキを解消するための補正を本来の意味で実施することができる。
【００１６】
前記画像補正部は、前記画像補正として画像の取得方法に応じた補正を行い、前記画像の取得方法に応じた補正を、前記撮影画像と前記ダウンロード画像とで切り替えることが望ましい。例えば、前記ダウンロード部は、前記画像の取得方法に応じた補正についてのデータであって前記ダウンロード画像に対するものを、前記サーバからダウンロードする。
この補正により、撮影画像から証明写真等として相応しい画質・色のプリント物を得る一方、ダウンロード画像から一般的な写真等として相応しい画質・色のプリント物を得ることができる。ダウンロード画像についての補正のデータはサーバに保持させておくことで、補正方法の変更、追加等が容易になる。
【００１７】
前記画像補正部は、ユーザによるフィルタ処理の設定に応じた補正による色変換をさらに行い、前記フィルタ処理の設定に応じた補正を、前記撮影画像と前記ダウンロード画像とで切り替えることが望ましい。例えば、前記ダウンロード部は、前記フィルタ処理の設定に応じた補正についてのデータであって前記ダウンロード画像に対するものを、前記サーバからダウンロードする。
通常、撮影ボックスでの撮影画像とダウンロード画像とでは画像の内容が異なる。例えば撮影ボックスでの撮影画像は無地の背景に人物の顔が写った画像であることが多いが、ダウンロード画像は一般的な画像であることが多く、背景ももっと複雑であることが多い。そのため、撮影画像におけるフィルタ処理時の補正をそのままダウンロード画像に適用すると、意図した効果が得られないことも多い。そこで、撮影画像とダウンロード画像とでフィルタ処理時の補正を切り替えることで、ダウンロード画像に対してはダウンロード画像用のフィルタ処理を実施し、所望のプリント物を得ることが可能となる。この場合も、ダウンロード画像についての補正のデータをサーバに保持させておくことで、補正方法の変更、追加等が容易になる。
【００１８】
第２の発明は、第１の発明の写真撮影装置と、ユーザ端末と、前記サーバと、を有し、前記ユーザ端末は、画像を前記サーバに送信することを特徴とする画像プリントシステムである。
【発明の効果】
【００１９】
本発明により、サーバからダウンロードした画像をプリントする際に所望のプリント物を得ることができる写真撮影装置等を提供することが可能となる。
【図面の簡単な説明】
【００２０】
【図１】画像プリントシステム１を示す図。
【図２】写真撮影装置２の外観を示す図。
【図３】写真撮影装置２の構成を示す図。
【図４】制御装置２０のハードウェア構成を示す図。
【図５】サーバ３のハードウェア構成を示す図。
【図６】ユーザ端末５のハードウェア構成を示す図。
【図７】写真撮影装置２の機能構成を示す図。
【図８】画像プリント方法の手順を示すフローチャート。
【図９】画像プリント方法の手順を示すフローチャート。
【図１０】撮影画像ｘの補正とダウンロード画像ｙの補正の違いを示す図。
【図１１】補正の手順を示すフローチャート。
【図１２】撮影画像ｘの補正とダウンロード画像ｙの補正の違いを示す図。
【図１３】撮影画像ｘの補正とダウンロード画像ｙの補正の違いを示す図。
【図１４】撮影画像ｘの補正とダウンロード画像ｙの補正の違いを示す図。
【発明を実施するための形態】
【００２１】
以下、図面に基づいて本発明の好適な実施形態について詳細に説明する。
【００２２】
［第１の実施形態］
（１．画像プリントシステム１）
図１は本発明の実施形態に係る画像プリントシステム１を示す図である。図１に示すように、本実施形態の画像プリントシステム１は、写真撮影装置２、サーバ３、およびユーザ端末５がネットワーク６を介して通信可能に接続された構成を有する。
【００２３】
写真撮影装置２はユーザが自身の撮影を行うものであり、例えば街頭に設置された証明写真の撮影ボックスである。写真撮影装置２はボックス内のユーザを撮影してその画像を証明写真などとしてプリントする機能（写真撮影サービス）に加え、ユーザ端末５からサーバ３に送信されたユーザの画像のプリントを行う機能（画像プリントサービス）を有する。
【００２４】
図２は写真撮影装置２の外観を示す図であり、図３は写真撮影装置２の構成を示す図である。
【００２５】
写真撮影装置２はユーザが中に入って撮影を行うボックス状の外観を有し、制御装置２０、表示部２１、課金部２２、撮影部２３、照明２４、プリンタ２５、プリント物取出口２６、カーテン２７等を有する。
【００２６】
制御装置２０は写真撮影装置２の内部に設けられ、写真撮影装置２の処理全体を制御する。
【００２７】
図４は制御装置２０のハードウェア構成を示す図である。図４に示すように、制御装置２０は、例えば制御部２０１、記憶部２０２、入力部２０３、通信部２０４等をバス等により接続して構成したコンピュータにより実現できる。但しこれに限ることなく、適宜様々な構成をとることができる。
【００２８】
制御部２０１はCPU、ROM、RAMなどから構成される。CPUは、記憶部２０２、ROMなどの記憶媒体に格納された制御装置２０の処理に係るプログラムをRAM上のワークエリアに呼び出して実行する。ROMは不揮発性メモリであり、ブートプログラムやBIOSなどのプログラム、データなどを恒久的に保持している。RAMは揮発性メモリであり、記憶部２０２、ROMなどからロードしたプログラムやデータを一時的に保持するとともに、制御部２０１が各種処理を行うために使用するワークエリアを備える。
【００２９】
記憶部２０２はハードディスクドライブやソリッドステートドライブ、フラッシュメモリ等であり、後述する処理に際し制御装置２０が実行するプログラム、プログラム実行に必要なデータ、OSなどが格納される。これらのプログラムやデータは、制御部２０１により必要に応じて読み出され実行される。
【００３０】
入力部２０３は制御装置２０に各種の設定入力を行うものである。
通信部２０４はネットワーク６等を介した通信を媒介する通信インタフェースであり、サーバ３等との間で通信を行う。
【００３１】
図２、３の説明に戻る。表示部２１は、写真撮影装置２の入力部を兼ねたタッチパネル付ディスプレイ等により実現される。表示部２１は、ユーザの操作・選択に係る各種の画面を表示し、画面上のタッチ操作によるユーザの指示入力等を受付ける。
【００３２】
課金部２２は、硬貨や紙幣の投入口、つり銭返却口、レシート取出口、レシートプリンタ等（不図示）を備え、ユーザからの課金やレシートの発行を管理する。
【００３３】
撮影部２３は、撮影窓の内側にカメラ等を設けたものである。カメラには例えば高解像度のデジタルカメラが用いられるが、これに限ることはない。
【００３４】
照明２４は、ユーザを含むボックス内の全体を照らす照明である。照明２４は例えば白色の光を照射する面光源であり、撮影部２３の上部に設けられるが、これに限ることはない。なお、写真撮影装置２には撮影時のフラッシュ用にストロボ光源も設けられる。
【００３５】
プリンタ２５は、画像をプリントするものであり、写真撮影装置２の内部に設けられる。画像をプリントしたプリント物はプリント物取出口２６に排出される。プリンタ２５の方式や設置台数等は特に問わない。
【００３６】
カーテン２７は、写真撮影装置２のボックス内を外部から遮るものである。
【００３７】
図１の説明に戻る。サーバ３は、写真撮影装置２でプリントする画像を管理するサーバである。
【００３８】
図５は、サーバ３のハードウェア構成を示す図である。図５に示すように、サーバ３は、例えば制御部３１、記憶部３２、表示部３３、入力部３４、及び通信部３５等をバス等により接続して構成したコンピュータにより実現できる。但し、これに限ることなく、適宜様々な構成をとることができる。
【００３９】
制御部３１、記憶部３２、入力部３４、通信部３５の機能は前記した制御部２０１、記憶部２０２、入力部２０３、通信部２０４と略同様である。また表示部３３は液晶パネル等のディスプレイ装置を有する。
【００４０】
なお、記憶部３２には後述する処理をサーバ３に実行させるためのプログラムが格納される。また入力部３４はキーボード、マウス等のポインティングデバイス、テンキー等の入力装置を有する。
【００４１】
図１の説明に戻る。ユーザ端末５はユーザが所持するコンピュータ端末であり、例えばスマートフォン等の携帯端末を用いることができる。
【００４２】
図６はユーザ端末５のハードウェア構成を示す図である。図６に示すように、ユーザ端末５は制御部５１、記憶部５２、表示部５３、入力部５４、通信部５５、カメラ５６、音声入出力部５７等をバス等により接続して構成される。但し、これに限ることなく、適宜様々な構成をとることができる。
【００４３】
制御部５１、記憶部５２、入力部５４、通信部５５の機能は前記した制御部２０１、記憶部２０２、入力部２０３、通信部２０４と略同様である。また表示部５３は液晶パネル等のディスプレイ装置を有し、入力部５４としてのタッチパネルが設けられている。音声入出力部５７はマイクやスピーカー等である。
【００４４】
なお、記憶部５２には専用のアプリケーションプログラムが格納されており、これにより後述する処理をユーザ端末５によって実行させる。
【００４５】
図７は写真撮影装置２の機能構成を示す図である。図７に示すように、写真撮影装置２は、撮影部１０１、ダウンロード部１０２、画像補正部１０３、プリント部１０４等を有する。
【００４６】
撮影部１０１は前記の撮影部２３に対応し、カメラによってボックス内のユーザを撮影するものである。
【００４７】
ダウンロード部１０２は、サーバ３から画像をダウンロードするものである。
【００４８】
画像補正部１０３は、撮影部１０１により得られた撮影画像とサーバ３からダウンロードして得られたダウンロード画像に画像補正を行って色変換し、プリント用画像を作成するものである。画像補正部１０３は、後述するように撮影画像とダウンロード画像とで異なる画像補正を行う。なお、この画像補正は、ユーザ（が行う設定）によらずに、写真撮影装置２が自動的に実行する補正であり、予め設定された固定の補正値（LUT（ルックアップテーブル）や関数など）を用いるものと、画像を解析して補正値を決める自動補正がある。
【００４９】
プリント部１０４は、画像補正部１０３で作成したプリント用画像をプリンタ２５によってプリントするものである。
【００５０】
（２．画像プリント方法）
次に、本実施形態の画像プリント方法について説明する。図８、図９は画像プリント方法の手順を示すフローチャートである。図８、９の各ステップのうち、図８のＳ１１、Ｓ１５はユーザ端末５の制御部５１が実行し、図９のＳ２１、Ｓ２２、Ｓ２５〜Ｓ３１は写真撮影装置２の制御装置２０が実行する。残りのステップはサーバ３の制御部３１が実行する。
【００５１】
本実施形態では、まずユーザが自身のユーザ端末５でアプリケーションを立ち上げ、表示部５３に表示される選択画面（不図示）上で記憶部５２に格納された画像の中からプリントする画像を選択してそのプリント枚数を設定し、サーバ３への送信指示を行う。ユーザ端末５は、選択された画像とそのプリント枚数（画像等という）をサーバ３へ送信する（図８のＳ１１）。
【００５２】
サーバ３は、ユーザ端末５から画像等を受信する（Ｓ１２）と、画像をプリントするための注文ＩＤを作成し、画像等を注文ＩＤと紐付けて記憶部３２に記録する（Ｓ１３）。また、サーバ３は注文ＩＤをユーザ端末５に送信する（Ｓ１４）。ユーザは、ユーザ端末５にて注文ＩＤを受信する（Ｓ１５）。注文ＩＤはプリントする画像等を識別する注文識別情報であり、Ｓ１４では注文ＩＤをコード化した二次元コードをユーザ端末５に送信してもよい。
【００５３】
画像（ユーザがサーバ３に送信した画像またはユーザを撮影した画像）をプリントするユーザは、街頭の写真撮影装置２に向かい、写真撮影装置２のボックス内に入る。写真撮影装置２は表示部２１にトップ画面を表示しており、トップ画面では、写真撮影サービスや画像プリントサービスへの移行を選択するための選択ボタンが表示される。
【００５４】
写真撮影装置２は、画像プリントサービスへの移行を選択するための選択ボタンがタッチされると（図９のＳ２１；画像プリントサービス）、注文ＩＤの入力画面（不図示）を表示し、入力画面で入力された注文ＩＤをサーバ３に送信する（Ｓ２２）。なお、注文ＩＤの入力は前記の二次元コードを写真撮影装置２に設けた読取部（不図示）で読取らせることにより行ってもよい。
【００５５】
サーバ３は、注文ＩＤを受信する（Ｓ２３）と、注文ＩＤに対応する画像等を写真撮影装置２に送信する（Ｓ２４）。
【００５６】
写真撮影装置２は、画像等を受信（ダウンロード）すると（Ｓ２５）、表示部２１に受信した画像および課金を促すメッセージを表示させる。ユーザは画像を確認し、課金部２２にて課金を行う。
【００５７】
写真撮影装置２は、課金を受付けると（Ｓ２６）、Ｓ２５でダウンロードした画像（以下、ダウンロード画像という）の補正を行ってプリント用画像を作成し（Ｓ２７）、プリンタ２５によってプリントする（Ｓ２８）。画像のプリントを行った旨の情報は上記の注文ＩＤ等とともに写真撮影装置２からサーバ３に送信し、注文ＩＤに対応する画像等をサーバ３において削除する。Ｓ２７の補正については後述する。
【００５８】
一方、写真撮影装置２は、Ｓ２１において、写真撮影サービスへの移行を選択するための選択ボタンがタッチされると（Ｓ２１；写真撮影サービス）、写真撮影を行うためのメニュー画面を表示し、写真撮影とそのプリントを行うための諸設定（例えばプリント枚数や写真のサイズ、写真の用途（運転免許証用、パスポート用等）など）をメニュー画面にて受付ける（Ｓ２９）。その後、写真撮影装置２は表示部２１に課金を促すメッセージを表示し、ユーザは課金部２２にて課金を行う。
【００５９】
写真撮影装置２は、課金を受付けると（Ｓ３０）、ユーザの写真撮影を行い（Ｓ３１）、撮影した画像（以下、撮影画像という）の補正を行ってプリント用画像を作成し（Ｓ２７）、プリンタ２５によってプリントする（Ｓ２８）。
【００６０】
（３．画像の補正）
Ｓ２７では、前記したように撮影画像とダウンロード画像とで異なる画像補正を行う。図１０は、撮影画像ｘの補正とダウンロード画像ｙの補正の違いを示す図である。
【００６１】
すなわち、本実施形態では、撮影画像ｘに対し、画像補正として、カメラ用補正ｆ、画作り補正ｇＡ、プリンタ用補正ｈ、メディア用補正ｉＡを含む補正による色変換を実行する。カメラ用補正ｆ、画作り補正ｇＡはこれらの補正を合成した補正Ｇによって行われることもある。
【００６２】
カメラ用補正ｆ、プリンタ用補正ｈはそれぞれ写真撮影装置２のカメラ、プリンタの個体差を解消するための補正であり、写真撮影装置２の製造時に設定される。
【００６３】
画作り補正ｇＡは画像の取得方法（この場合は撮影画像）に応じた補正であり、ユーザの撮影画像ｘを証明写真などとして相応しい画質・色に仕上げるためのものである。この補正も写真撮影装置２に事前に設定される。
【００６４】
メディア用補正ｉＡは、写真撮影装置２のプリント用メディア（インクリボンや用紙など）のロット間のバラツキを解消するための補正であり、街頭に設置した写真撮影装置２のプリント用メディアの交換時に行われる。このメディア用補正ｉＡは、ある色を撮影部２３のカメラで撮影した時にプリント物上でそれが所定の色で現れるように設定される。
【００６５】
各補正はLUTやプロファイル、あるいは所定の変換式などを用いて画像の画素の色を別の色に変換することで行われる。各補正に付した符号（ｆ、ｇＡ、ｈ、ｉＡなど）はこの色変換を表わしたものであり、例えばｆ（ｘ）は撮影画像ｘを補正ｆにより色変換した後の画像を示す。以降説明するその他の補正についても同様である。
【００６６】
一方、ダウンロード画像ｙに対しては、画像補正として、プリンタ用補正ｈ、メディア用補正ｉＢを含む補正による色変換が実行され、上述のカメラ用補正ｆ及び画作り補正ｇＡは省略される。
【００６７】
メディア用補正ｉＢは、前記したようにプリント用メディアのロット間のバラツキを解消するための補正であり、街頭に設置した写真撮影装置２のプリント用メディアの交換時に行われる。
【００６８】
ただし、このメディア用補正ｉＢは、ある色を入力した時にプリント物上でそれが所定の色で現れるように設定され、カメラによる撮影を経ない分、撮影画像に対するメディア用補正ｉＡとは異なる補正となっている。すなわち、これらのメディア用補正ｉＡ、ｉＢの間で補正に用いるLUTやプロファイル、変換式などが互いに異なり、撮影画像用のメディア用補正ｉＡが前記のように撮影系の変化を補償するものとなっている一方、ダウンロード画像用のメディア用補正ｉＢはそうではなく、本来の意味でのメディア用補正を行うものとなっている。
【００６９】
Ｓ２７では、図１１に示すように、写真撮影装置２は、まず画像の取得方法を判定し（Ｓ２７１）、判定結果に応じて実施する補正を切り替える。すなわち、画像がダウンロードによって得た画像である場合（Ｓ２７１；ダウンロード画像）、写真撮影装置２はダウンロード画像用の補正を実施する（Ｓ２７２）。
【００７０】
Ｓ２７２では、写真撮影装置２が、図１０に示すようにダウンロード画像ｙに対してプリンタ用補正ｈを行った後、メディア用補正ｉＢを行うことでプリント用画像ｉＢ（ｈ（ｙ））を作成し、これをＳ２８でプリントする。
【００７１】
一方、画像が撮影によって得た画像である場合（Ｓ２７１；撮影画像）、写真撮影装置２は撮影画像用の補正を実施する（Ｓ２７３）。
【００７２】
Ｓ２７３において、写真撮影装置２は図１０に示すように撮影画像ｘに対しカメラ用補正ｆと画作り補正ｇＡを行った後、プリンタ用補正ｈとメディア用補正ｉＡを順に行うことでプリント用画像ｉＡ（ｈ（ｇＡ（ｆ（ｘ））））を作成し、これをＳ２８でプリントする。
【００７３】
以上説明したように、本実施形態の写真撮影装置２は、撮影からプリントまでの全ての処理を写真撮影装置２で行う場合と、ダウンロードした画像を写真撮影装置２でプリントするだけの場合とで、画像に対して実施する画像補正処理を切り替える。これにより、撮影画像ｘとダウンロード画像ｙのそれぞれに適切な画像補正を行うことが可能となり、撮影画像ｘのみならずダウンロード画像ｙをプリントする際にも所望のプリント物を得ることが可能となる。
【００７４】
例えば本実施形態では、画像補正として、撮影画像ｘに対しては、カメラ用補正ｆ、プリンタ用補正ｈ、およびメディア用補正ｉＡを実行し、ダウンロード画像ｙに対しては、カメラ用補正ｆをせず、プリンタ用補正ｈおよびメディア用補正ｉＢを実行する。これにより、ダウンロード画像ｙに必要な画像補正処理だけを実施し、ダウンロード画像ｙをプリントする際に所望のプリント物を得ることが可能となる。
【００７５】
また本実施形態では、撮影画像ｘとダウンロード画像ｙとでメディア用補正ｉＡ、ｉＢを切り替えて用いる。前記したように、撮影画像ｘに対するメディア用補正ｉＡは、ストロボやレンズ、ボックス内の汚れといった撮影系の変化を補償するものとなっている。一方で、ダウンロード画像ｙに対しては、そのような撮影系の変化の影響がない本来の意味でのメディア用補正ｉＢが実施される。
【００７６】
しかしながら、本発明は上記の実施形態に限らない。次に、本発明の別の例について、第２、第３の実施形態として説明する。各実施形態はそれまでに説明した実施形態と異なる点について説明し、同様の点については図等で同じ符号を付すなどして説明を省略する。
【００７７】
［第２の実施形態］
第２の実施形態は、ダウンロード画像ｙの補正が第１の実施形態と異なる例である。すなわち本実施形態では、図１２に示すように、ダウンロード画像ｙの画像補正として画作り補正ｇＢを実行し色変換を行う。
【００７８】
画作り補正ｇＢは前記したように画像の取得方法（この場合はダウンロード画像）に応じた補正であり、ダウンロード画像を一般的な写真のプリント物などとして相応しい画質・色に仕上げるためのものである。
【００７９】
ダウンロード画像ｙに対する画作り補正ｇＢは、撮影画像に対する画作り補正ｇＡとは異なる補正となっている。すなわち、これらの画作り補正ｇＡ、ｇＢの間で補正に用いるLUTやプロファイル、変換式などが互いに異なる。
【００８０】
画作り補正ｇＢについてのデータは、前記のＳ２５（図９参照）で写真撮影装置２がサーバ３からダウンロードし、Ｓ２７でこれを用いてダウンロード画像ｙを補正し、色変換を行うことができる。
【００８１】
このように、本実施形態では撮影画像ｘとダウンロード画像ｙとで画作り補正ｇＡ、ｇＢを切り替えて用いることで、撮影画像ｘから証明写真等として相応しい画質・色のプリント物を得る一方、ダウンロード画像ｙから一般的な写真等として相応しい画質・色のプリント物も得ることができる。
【００８２】
また、ダウンロード画像ｙについての画作り補正ｇＢのデータはサーバ３に保持させておくことで、補正方法の変更、追加等が容易になる。ただし、画作り補正ｇＢのデータを写真撮影装置２で保持しておくことも可能である。また、図１３に示すようにダウンロード画像用の画作り補正ｇＢとプリンタ用補正ｈを合成した補正Ｈのデータを写真撮影装置２で保持し、これを用いてダウンロード画像ｙの補正を行うことも可能である。この場合、ダウンロード画像ｙに適した補正処理を迅速に実施することが可能となる。
【００８３】
［第３の実施形態］
第３の実施形態は、ユーザが画像のフィルタ処理を行う場合に、その設定に応じた補正を撮影画像とダウンロード画像とで切り替える点で第２の実施形態と異なる。
【００８４】
すなわち、ユーザは、写真撮影装置２の表示部２１で画像の編集を行うことができる。画像の編集は、例えば画像の明るさ、色やシャープネスの調整、画像のスムージング、画像への所定の絵柄の付加等であるが、これに限ることはない。
【００８５】
写真撮影装置２では、編集内容に応じた補正を撮影画像に対して行うことができる。例えばシャープネスやスムージングなどのフィルタ処理の設定を行った場合に、フィルタ処理の設定に応じた補正を撮影画像に対して実行する。
【００８６】
図１４（ａ）はこの場合の補正について示す図であり、図に示すように、本実施形態では撮影画像ｘに対してフィルタ処理の設定に応じた補正ｊＡによる色変換を行う。この補正ｊＡは例えば所定の変換式などを用いて画像の画素の色を別の色に変換することで行われる。
【００８７】
一方、ダウンロード画像ｙについては上記のような写真撮影装置２の表示部２１でのフィルタ処理の設定を無効とし、フィルタ処理の設定に応じた補正ｊＡを実施しないようにする。
【００８８】
ダウンロード画像ｙの編集に関しては、ユーザがユーザ端末５上で予め行うことができ、写真撮影装置２は当該編集に応じた補正をダウンロード画像ｙに対して実行することができる。例えばユーザ端末５上でシャープネスやスムージングなどのフィルタ処理の設定を行った場合、図１４（ｂ）に示すように、そのフィルタ処理については、ダウンロード画像ｙに対する補正ｊＢを、同内容のフィルタ処理の設定を写真撮影装置２の表示部２１で撮影画像に対して行った場合（前記のｊＡ）と異なるものとする。例えば同じ設定のシャープネス処理を行う場合に、シャープネス処理に用いる画像の変換式を撮影画像ｘとダウンロード画像ｙとで異なるものとし、ダウンロード画像ｙと撮影画像ｘのそれぞれに適した補正を行うようにしておく。
【００８９】
フィルタ処理の設定に応じたダウンロード画像用の補正ｊＢについてのデータは、前記のＳ２５（図９参照）で写真撮影装置２がサーバ３からダウンロードし、Ｓ２７でこれを用いてダウンロード画像ｙの補正による色変換を行うことができる。
【００９０】
通常、撮影ボックスでの撮影画像ｘとダウンロード画像ｙとでは画像の内容が異なる。例えば上記の撮影画像ｘは無地の背景に人物の顔が写った画像であることが多いが、ダウンロード画像ｙは一般的な画像であることが多く、背景ももっと複雑であることが多い。そのため、撮影画像ｘにおけるフィルタ処理時の補正をそのままダウンロード画像ｙに適用すると、意図した効果が得られないことも多い。そこで、撮影画像ｘとダウンロード画像ｙとでフィルタ処理の設定に応じた補正ｊＡ、ｊＢを切り替えることで、ダウンロード画像ｙに対してはダウンロード画像用のフィルタ処理を実施し、所望のプリント物を得ることが可能となる。
【００９１】
また本実施形態では、ダウンロード画像ｙについての補正ｊＢのデータをサーバ３に保持させておくことで、補正方法の変更、追加等が容易になる。ただし、前記と同様、フィルタ処理の設定に応じた補正ｊＢのデータを写真撮影装置２で保持しておくことも可能である。
【００９２】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００９３】
１：画像プリントシステム
２：写真撮影装置
３：サーバ
５：ユーザ端末
６：ネットワーク
２０：制御装置
２１：表示部
２２：課金部
２３、１０１：撮影部
２４：照明
２５：プリンタ
２６：プリント物取出口
２７：カーテン
１０２：ダウンロード部
１０３：画像補正部
１０４：プリント部
【図１】
2019144500.tif 000003
【図２】
2019144500.tif 000004
【図３】
2019144500.tif 000005
【図４】
2019144500.tif 000006
【図５】
2019144500.tif 000007
【図６】
2019144500.tif 000008
【図７】
2019144500.tif 000009
【図８】
2019144500.tif 000010
【図９】
2019144500.tif 000011
【図１０】
2019144500.tif 000012
【図１１】
2019144500.tif 000013
【図１２】
2019144500.tif 000014
【図１３】
2019144500.tif 000015
【図１４】
2019144500.tif 000016